(57)【要約】【課題】半リングを軸方向に移動させやすい綴じ具を提供する。【解決手段】綴じ具は、第一軸と、該第一軸から突出し、前記第一軸の軸方向に並んだ複数の第一半リングと、前記第一軸に平行な第二軸と、該第二軸から突出し、前記第二軸の軸方向に並んだ複数の第二半リングと、前記第一軸及び第二軸を連結し、前記第一軸及び第二軸の軸方向に沿って延びるヒンジとを備え、前記ヒンジに、前記第一軸及び第二軸の軸方向に延びたスリットが形成されている。【選択図】図１
2020001187.tif 000002
【特許請求の範囲】
【請求項１】
第一軸と、
該第一軸から突出し、前記第一軸の軸方向に並んだ複数の第一半リングと、
前記第一軸に平行な第二軸と、
該第二軸から突出し、前記第二軸の軸方向に並んだ複数の第二半リングと、
前記第一軸及び第二軸を連結し、前記第一軸及び第二軸の軸方向に沿って延びるヒンジと
を備え、
前記ヒンジに、前記第一軸及び第二軸の軸方向に延びたスリットが形成されている
綴じ具。
【請求項２】
前記第一半リングは、先端部が前記第一軸の一端部側に配置されるように、前記第一軸から螺旋状に突出し、
前記第二半リングは、先端部が前記第一軸の他端部側に配置されるように、前記第二軸から螺旋状に突出し、
前記第一半リングの先端部に前記第一軸の一端部側に突出した第一爪が形成され、
前記第二半リングの先端部に前記第一軸の他端部側に突出し、前記第一爪に係合する第二爪が形成される
請求項１に記載の綴じ具。
【発明の詳細な説明】
【技術分野】
【０００１】
本技術は、例えば紙葉を綴じる綴じ具に関する。
【背景技術】
【０００２】
従来、棒状のベースに複数の半リングが並設された二つの綴じ具部材と、該二つの綴じ具部材それぞれのベースを連結する枢軸とを備える綴じ具が提案されている。半リングの先端部には、突出した爪と、窪んだ爪受けとが形成されている。爪と爪受けとは、半リングの軸方向に並ぶ。
【０００３】
一方の綴じ具部材の爪が、他方の綴じ具部材の爪受けに係合し、他方の綴じ具部材の爪が、一方の綴じ具部材の爪受けに係合することで、例えば紙葉を綴じることができる（例えば特許文献１参照）。
【先行技術文献】
【特許文献】
【０００４】
【特許文献１】特許第５６９５６１７号公報
【発明の概要】
【発明が解決しようとする課題】
【０００５】
二つの綴じ具部材それぞれの爪は、ベースの長手方向において、逆向きに突出している。爪及び爪受けの係合及び係合解除のために、一方の綴じ具部材の半リングと、他方の綴じ具部材の半リングとを、前記長手方向に移動させる。綴じ具の開閉を容易にするためには、半リング材を前記長手方向へ移動させやすくする必要がある。
【０００６】
本開示は斯かる事情に鑑みてなされたものであり、半リングを軸方向に移動させやすい綴じ具を提供することを目的とする。
【課題を解決するための手段】
【０００７】
本開示に係る綴じ具は、第一軸と、該第一軸から突出し、前記第一軸の軸方向に並んだ複数の第一半リングと、前記第一軸に平行な第二軸と、該第二軸から突出し、前記第二軸の軸方向に並んだ複数の第二半リングと、前記第一軸及び第二軸を連結し、前記第一軸及び第二軸の軸方向に沿って延びるヒンジとを備え、前記ヒンジに、前記第一軸及び第二軸の軸方向に延びたスリットが形成されている。
【０００８】
本開示においては、ヒンジにスリットが形成されているので、第一軸及び第二軸は撓みやすくなっている。そのため、第一半リング又は第二半リングに軸方向への力を作用させた場合、第一軸及び第二軸が撓み、第一半リング又は第二半リングは軸方向に移動し、綴じ具が開閉される。またスリットを設けることによって、ヒンジの柔軟性が向上し、第一半リング及び第二半リングはヒンジを回転中心にして、回転し易くなる。
【０００９】
本開示に係る綴じ具は、前記第一半リングは、先端部が前記第一軸の一端部側に配置されるように、前記第一軸から螺旋状に突出し、前記第二半リングは、先端部が前記第一軸の他端部側に配置されるように、前記第二軸から螺旋状に突出し、前記第一半リングの先端部に前記第一軸の一端部側に突出した第一爪が形成され、前記第二半リングの先端部に前記第一軸の他端部側に突出し、前記第一爪に係合する第二爪が形成される。
【００１０】
本開示においては、第一半リングと、第二半リングとは、逆向きに螺旋状に突出している。第一爪及び第二爪を係合させる場合、第一爪を第二爪側に、第二爪を第一爪側に移動させる。第一爪及び第二爪の移動によって、綴じ具にねじりの力が作用する。スリットによって、ねじりの力の残留を防止し、綴じ具における歪みの発生を抑制することができる。
【発明の効果】
【００１１】
本開示に係る綴じ具にあっては、ヒンジにスリットが形成されているので、第一軸及び第二軸は撓みやすくなっている。そのため、第一半リング又は第二半リングに軸方向への力を作用させた場合、第一軸及び第二軸が容易に撓み、第一半リング又は第二半リングは軸方向に移動し、綴じ具を容易に開閉させることができる。またスリットを設けることによって、ヒンジの柔軟性が向上し、第一半リング及び第二半リングはヒンジを回転中心にして、回転し易くなり、第一半リング及び第二半リングを容易に開閉させることができる。
【図面の簡単な説明】
【００１２】
【図１】開いた状態の綴じ具を示す斜視図である。
【図２】開いた状態の綴じ具を示す平面図である。
【図３】開いた状態の綴じ具を示す側面図である。
【図４】開いた状態の綴じ具を示す底面図である。
【図５】図２のＶ−Ｖ線を切断線とした断面図である。
【図６】図２のＶＩ−ＶＩ線を切断線とした断面図である。
【図７】開いた状態の綴じ具を示す部分拡大底面図である。
【図８】開いた状態の第一半リングを示す側面図である。
【図９】紙葉を綴じた綴じ具を略示する斜視図である。
【図１０】構成を一部変更した開いた状態の綴じ具を示す断面図である。
【発明を実施するための形態】
【００１３】
以下本発明を実施の形態に係る綴じ具１を示す図面に基づいて説明する。図１は、開いた状態の綴じ具１を示す斜視図、図２は、開いた状態の綴じ具１を示す平面図、図３は、開いた状態の綴じ具１を示す側面図、図４は、開いた状態の綴じ具１を示す底面図、図５は、図２のＶ−Ｖ線を切断線とした断面図、図６は、図２のＶＩ−ＶＩ線を切断線とした断面図である。
【００１４】
図１〜図４に示すように、綴じ具１は、第一軸１０と、該第一軸１０から突出し、第一軸１０の軸方向に並んだ複数の第一半リング１１とを備える。図５に示すように、第一軸１０に直角な切断面において、第一軸１０の断面形状は矩形をなす。第一軸１０における矩形断面の一端側部分、換言すれば第一軸１０の一側面部１０ａに第一半リング１１が連結している。
【００１５】
綴じ具１は、第二軸２０と、該第二軸２０から突出し、第二軸２０の軸方向に並んだ複数の第二半リング２１とを備える。第二軸２０に直角な切断面において、第二軸２０の断面形状は矩形をなす。第二軸２０における矩形断面の一端側部分、換言すれば第二軸２０の一側面部２０ａに第二半リング２１が連結している。
【００１６】
第一軸１０及び第二軸２０は略同じ長さを有し、平行である。第一軸１０及び第二軸２０の軸方向位置は略同じである。第一軸１０における矩形断面の他端側部分、換言すれば第一軸１０の他側面部１０ｂと、第二軸２０における矩形断面の他端側部分、換言すれば第二軸２０の他側面部２０ｂとは、ヒンジ３０を介して連結されている。第一軸１０及び第二軸２０の軸方向に沿ってヒンジ３０は延び、第一軸１０及び第二軸２０よりも薄肉に形成されている。ヒンジ３０を介して、第一軸１０及び第二軸２０を回転させることができる。
【００１７】
第一半リング１１及び第二半リング２１の軸方向は、第一軸１０及び第二軸２０に平行な方向である。第一半リング１１及び第二半リング２１それぞれの頂部が同じ方向を向くように、第一半リング１１及び第二半リング２１は湾曲している。第一半リング１１は、その先端部が第一軸１０の一端部側に配置されるように、第一軸１０から螺旋状に突出している。第二半リング２１は、その先端部が第一軸１０の他端部側に配置されるように、第二軸２０から螺旋状に突出している。即ち、第一半リング１１及び第二半リング２１の螺旋の向きは逆向きである。
【００１８】
第一半リング１１及び第二半リング２１の数は同じであり、第一半リング１１及び第二半リング２１はそれぞれ対応している。第一半リング１１及び第二半リング２１の数は、例えば２９個である。なお、第一半リング１１及び第二半リング２１の数は上述の数に限定されず、綴じ具１の仕様に応じて、適宜変更される。第一軸１０及び第二軸２０を回転させて、第一半リング１１及び第二半リング２１を接近させた場合、第一半リング１１及び第二半リング２１それぞれの先端部は突き合わされる。
【００１９】
図１、図２及び図６などに示すように、ヒンジ３０には、第一軸１０及び第二軸２０の軸方向に延びる複数のスリット３１が前記軸方向に並んでいる。なおスリット３１は単数でもよい。スリット３１はヒンジ３０を貫通している。スリット３１の長さは、例えば、第一半リング１１及び第二半リング２１の数が２９個である場合、軸方向において、第一半リング１１又は第二半リング２１の３〜４個分の長さである。なおスリット３１の長さは、上述の長さに限定されず、綴じ具１の仕様に応じて、適宜変更される。スリット３１を設けることによって、ヒンジ３０の柔軟性が向上し、第一半リング１１及び第二半リング２１はヒンジ３０を回転中心にして、回転し易くなる。
【００２０】
図７は、開いた状態の綴じ具１を示す部分拡大底面図、図８は、開いた状態の第一半リング１１を示す側面図である。第一半リング１１の先端部に、第一軸１０の一端部側に突出した第一爪１２が形成されている。第一爪１２は略三角形状をなし、第一半リング１１の外周面部分において、第一爪１２に隣接する凹状の第一受部１３が形成されている。第一受部１３は、第一半リング１１の径方向中央に向けて窪んでいる。側面視において、第一爪１２の形状と第一受部１３の形状とは、第一爪１２及び第一受部１３の境界線上の中点Ｃに関し、点対称な関係にある。また第一半リング１１部の内周面部分において、第一受部１３に対応する位置に第一ガイド板１４が形成されている。
【００２１】
第二半リング２１に、第一軸１０の他端部側に突出した第二爪２２が形成されている。第二爪２２は略三角形状をなし、第二半リング２１の外周面部分において、第二爪２２に隣接する凹状の第二受部２３が形成されている。第二受部２３は、第二半リング２１の径方向中央に向けて窪んでいる。側面視において、第二爪２２の形状と第二受部２３の形状とは、第二爪２２及び第二受部２３の境界線上の中点に関し、点対称な関係にある。また第二半リング２１部の内周面部分において、第二受部２３に対応する位置に第二ガイド板２４が形成されている。
【００２２】
なお図８の視点とは逆の視点から見た場合、第二爪２２、第二受部２３及び第二ガイド板２４は、図８に示す第一爪１２、第一受部１３及び第一ガイド板１４と同様な形状をなすので、図８にて、第二爪２２、第二受部２３及び第二ガイド板２４の符号を括弧書きで付す。
【００２３】
図９は、紙葉２を綴じた綴じ具１を略示する斜視図である。紙葉２に形成された孔に第一半リング１１及び第二半リング２１を挿入し、第一半リング１１及び第二半リング２１を接近させた場合、第一爪１２及び第二爪２２は突き合わされる。前述したように、第一半リング１１及び第二半リング２１の螺旋の向きは逆向きなので、第一爪１２及び第二爪２２は接触し、第一半リング１１及び第二半リング２１はねじれ、第一爪１２は第二ガイド板２４に案内されて第二受部２３に嵌まり、第二爪２２は第一ガイド板１４に案内されて第一受部１３に嵌まる。即ち、第一爪１２及び第二爪２２は係合する。紙葉２は綴じられる。紙葉２を取り外す場合、軸方向において、第一半リング１１及び第二半リング２１を逆向きに移動させて、第一爪１２及び第二爪２２の係合を解除させて、綴じ具１を開く。そして、紙葉２を綴じ具１から取り外す。
【００２４】
実施の形態に係る綴じ具１にあっては、ヒンジ３０にスリット３１が形成されているので、第一軸１０及び第二軸２０は撓みやすくなっている。そのため、第一半リング１１又は第二半リング２１に軸方向への力を作用させた場合、第一軸１０及び第二軸２０が容易に撓み、第一半リング１１又は第二半リング２１は軸方向に移動し、綴じ具１を容易に開閉させることができる。例えば、綴じ具１を比較的硬質な素材によって構成した場合でも、第一半リング１１及び第二半リング２１の軸方向への移動を容易にすることができる。またスリット３１を設けることによって、ヒンジ３０の柔軟性が向上し、第一半リング１１及び第二半リング２１はヒンジ３０を回転中心にして、回転し易くなり、第一半リング１１及び第二半リング２１を容易に開閉させることができる。
【００２５】
また第一半リング１１と、第二半リング２１とは、逆向きに螺旋状に突出している。第一爪１２及び第二爪２２を係合させる場合、第一爪１２を第二爪２２側に、第二爪２２を第一爪１２側に移動させる。第一爪１２及び第二爪２２の移動によって、綴じ具１にねじりの力が作用する。ねじりの力が残留した場合、綴じ具１全体が軸周りに捩れ、歪みが生じる。しかし、実施の形態にあっては、スリット３１によって、ねじりの力の残留を防止し、綴じ具１における歪みの発生を抑制することができる。
【００２６】
図１０は、構成を一部変更した開いた状態の綴じ具１を示す断面図である。図１０に示すように、第一半リング１１及び第一軸１０の連結部分、又は第二半リング２１及び第二軸２０の連結部分に、貫通孔１５、２５を形成してもよい。貫通孔１５、２５を形成することによって、第一半リング１１又は第二半リング２１の軸方向への移動が更に容易になる。なお、貫通孔１５、２５に代えて、前記連結部分に凹部を形成してもよいし、前記連結部分を他の部分よりも薄肉に形成してもよい。
【００２７】
今回開示した実施の形態は、全ての点で例示であって、制限的なものではないと考えられるべきである。各実施例にて記載されている技術的特徴は互いに組み合わせることができ、本発明の範囲は、特許請求の範囲内での全ての変更及び特許請求の範囲と均等の範囲が含まれることが意図される。
【符号の説明】
【００２８】
１  綴じ具
１０  第一軸
１１  第一半リング
１２  第一爪
１５、２５  貫通孔
２０  第二軸
２１  第二半リング
２２  第二爪
３０  ヒンジ
３１  スリット
【図１】
2020001187.tif 000003
【図２】
2020001187.tif 000004
【図３】
2020001187.tif 000005
【図４】
2020001187.tif 000006
【図５】
2020001187.tif 000007
【図６】
2020001187.tif 000008
【図７】
2020001187.tif 000009
【図８】
2020001187.tif 000010
【図９】
2020001187.tif 000011
【図１０】
2020001187.tif 000012